(57)【要約】【課題】工事現場のガードマンなどの歩行者誘導者には高齢の人もいて、声が小さく、言葉が明瞭でないなどで、歩行者や自転車に乗る人にうまく注意が伝わらない場合があった。【解決手段】本発明の歩行者誘導表示装置は、表示板本体と、上記表示板本体に設けた、人や自転車の接近を感知するセンサーと、音声メッセージ発生装置と、複数の音声メッセージを記憶した記憶装置と、上記接近した物体の種類に応じて上記記憶装置に記憶した複数の音声メッセージのうちの一つが選択される選択スイッチと、上記センサーが人や自転車の接近を感知した時に、上記選択スイッチにより選択された一の音声メッセージを上記音声メッセージ発生装置から発生せしめる作動装置とよりなることを特徴とする。【選択図】図２
2011094372.tif 000002
【特許請求の範囲】
【請求項１】
表示板本体と、上記表示板本体に設けた、人や自転車の接近を感知するセンサーと、音声メッセージ発生装置と、複数の音声メッセージを記憶した記憶装置と、上記接近した物体の種類に応じて上記記憶装置に記憶した複数の音声メッセージのうちの一つが選択される選択スイッチと、上記センサーが人や自転車の接近を感知した時に、上記選択スイッチにより選択された一の音声メッセージを上記音声メッセージ発生装置から発生せしめる作動装置とよりなることを特徴とする歩行者誘導表示装置。
【請求項２】
上記選択スイッチは、上記表示板本体から分離して、有線又は無線で上記記憶装置に接続され、歩行者誘導者により一の音声メッセージが選択されるスイッチであることを特徴とする請求項１記載の歩行者誘導表示装置。
【請求項３】
上記音声メッセージが上記音声メッセージ装置から発生する前に、音又は光による合図を発生せしめる装置を上記表示板本体に設けたことを特徴とする請求項１又は２記載の歩行者誘導表示装置。
【発明の詳細な説明】
【技術分野】
【０００１】
本発明は歩行者誘導表示装置、特に、道路工事現場、コンサートなどの人の集まる場所等において、歩行者や自転車に乗る人に効果的に注意を促したり、公告をアナウンスする表示装置に関するものである。
【背景技術】
【０００２】
道路工事現場では、そこを通行する歩行者や自転車に乗る人に、迂回路や段差の注意を促すため、ガードマンなどの歩行者誘導者をおいている。
【発明の概要】
【発明が解決しようとする課題】
【０００３】
しかしながら、歩行者誘導者には高齢の人もいて、声が小さく、言葉が明瞭でないなどで、歩行者や自転車に乗る人にうまく注意が伝わらない場合があった。また、高齢の歩行者誘導者にとって長いメッセージの記憶や声を出す案内が負担となっていた。
【０００４】
本発明は上記の欠点を除くようにしたものである。
【課題を解決するための手段】
【０００５】
本発明の歩行者誘導表示装置は、表示板本体と、上記表示板本体に設けた、人や自転車の接近を感知するセンサーと、音声メッセージ発生装置と、複数の音声メッセージを記憶した記憶装置と、上記接近した物体の種類に応じて上記記憶装置に記憶した複数の音声メッセージのうちの一つが選択される選択スイッチと、上記センサーが人や自転車の接近を感知した時に、上記選択スイッチにより選択された一の音声メッセージを上記音声メッセージ発生装置から発生せしめる作動装置とよりなることを特徴とする。
【０００６】
また、上記選択スイッチは、上記表示板本体から分離して、有線又は無線で上記記憶装置に接続され、歩行者誘導者により一の音声メッセージが選択されるスイッチであることを特徴とする。
【０００７】
上記音声メッセージが上記音声メッセージ装置から発生する前に、音又は光による合図を発生せしめる装置を上記表示板本体に設けたことを特徴とする。
【発明の効果】
【０００８】
本発明の歩行者誘導表示装置によれば、選択スイッチの操作により、歩行者や自転車に乗る人や道路誘導状態に適合する音声メッセージを選ぶ事ができ、また、歩行者等に明確にメッセージを伝えることができるという大きな利益がある。
【０００９】
また、ガードマンなどの歩行者誘導者が適宜、歩行者や自転車に乗る人に適合する音声メッセージを選択すれば、各歩行者等に対応してメッセージを伝えることができるので、歩行者誘導者の負担軽減になり、また、感知センサーを用いているので、歩行者等が適切な距離に近づいたときに、音声メッセージを発生せしめることができ、的確な案内をすることができる。
【００１０】
また、いきなり音声メッセージが流れることにより歩行者等が驚くことを防止したり、より歩行者に注意を促すことができるようになる。
【図面の簡単な説明】
【００１１】
【図１】本発明の歩行者誘導表示装置の正面図である。
【図２】本発明の歩行者誘導表示装置の背面図である。
【発明を実施するための形態】
【００１２】
以下図面によって本発明の実施例を説明する。
【実施例１】
【００１３】
本発明の歩行者誘導表示装置は、図１及び図２に示すように、表面に「工事中」などの注意を表示した表示板本体１と、上記表示板本体１の表面に設けた、歩行者や自転車の接近を感知する感知センサー２と、上記表示板本体１の背面に設けた、スピーカーなどの音声メッセージ発生装置３と、上記表示板本体１の背面に設けた制御装置４とよりなり、上記制御装置４は、複数の音声メッセージを記憶した記憶装置５と、上記接近した物体の種類に応じて上記記憶装置５に記憶した複数の音声メッセージのうちの一つが選択される選択スイッチ６と、上記センサー２が人や自転車を感知した時に、上記選択スイッチ６により選択された一の音声メッセージを上記音声メッセージ発生装置３から発生せしめる作動装置７とよりなる。
【００１４】
上記感知センサーとしては、例えば、歩行者から発する熱（赤外線）を検出する赤外線センサーや、超音波を発射してその反射波を検出する超音波センサーなどがある。
【００１５】
また、上記音声メッセージとしては、例えば、「工事中につき、自転車の方は恐れいりますが安全のため降りての通行にご協力下さい。」、「ご通行中のお客様へ、工事中につき迂回をお願い致します。ご不便をお掛け致します。」、「工事中につき、ご不便をお掛け致します。」、「段差にご注意してのご通行に、ご協力お願い致します。」、「株式会社ライクスは、バリアフリー工事を目指しております。」、「ただいま、ガス工事跡の舗装工事を実施しております。ご不便をお掛けしますが、ご注意してお通り下さい。」、「工事中につき、自転車の方はスピードを落としてお通り下さい。」などがある。なお、上記各音声メッセージを始めから順番に例えば、１ｃｈ〜７ｃｈのような番号を振り、この番号を上記選択スイッチ６に表示せしめるようにする。
【００１６】
また、上記記憶装置５は交換可能なチップ状のものとし、このチップ状の記憶装置５には各現場の状況に応じた音声メッセージが複数記憶され、各現場の状況に応じて、上記チップ状の記憶装置５を交換ならしめるようにしてもよい。
【００１７】
本発明の歩行者誘導表示装置においては、道路工事現場の所定の場所に歩行者誘導表示装置を設置し、例えば、通勤者の多い通勤時間には、上記選択スイッチ６により３ｃｈを選択し、「工事中につき、ご不便をお掛け致します。」の音声メッセージを上記スピーカーから発生するようにし、また、日中の自転車が多い時間帯には、上記選択スイッチにより１ｃｈを選択し、「工事中につき、自転車の方は恐れいりますが安全のため降りての通行にご協力下さい。」の音声メッセージを上記スピーカーから発生するようにするなど、時間帯毎又は現場状況毎に上記選択スイッチ６を切り替え、これにより歩行者や自転車が適切な距離に近づいた時に、歩行者や自転車に乗る人や道路誘導状態に適合する音声メッセージを歩行者等に伝えることができるという大きな利益がある。
【実施例２】
【００１８】
本発明の第二の実施例においては、上記選択スイッチ６を上記表示板本体１から分離せしめ、歩行者誘導表示装置から離れた位置にいるガードマンなどの歩行者誘導者に持たせ、有線又は無線で、音声メッセージを選択できるようにする。
【００１９】
この第二の実施例によれば、ガードマンなどの歩行者誘導者が適宜、歩行者や自転車に乗る人に適合する音声メッセージを選択すれば、各歩行者等に対応してメッセージを伝えることができるので、歩行者誘導者の負担軽減になり、また、感知センサーを用いているので、歩行者等が適切な距離に近づいたときに、音声メッセージを発生せしめることができ、的確な案内をすることができる。
【００２０】
なお、上記制御装置４に上記感知センサーを作動・停止せしめるスイッチ（図示せず）を設け、上記スイッチを操作して上記感知センサーを停止せしめ、歩行者誘導者が上記選択スイッチ６を操作することにより、即座に音声メッセージを上記音声メッセージ発生装置３から発生せしめるようにしてもよい。
【実施例３】
【００２１】
本発明の第三の実施例においては、上記第一の実施例又は上記第二の実施例において、音声メッセージが上記音声メッセージ発生装置３から発生する直前に、例えば音楽や効果音などの合図を上記音声メッセージ発生装置３から発生せしめる。
【００２２】
この第三の実施例においては、いきなり音声メッセージが流れることにより歩行者等が驚くことを防止したり、より歩行者に注意を促すことができるようになる。
【００２３】
なお、上記合図として、音楽や効果音を発生させる代わりに、上記表示板本体１にＬＥＤなどの発光装置（図示せず）を設け、音声メッセージが上記音声メッセージ発生装置３から発生する直前にランプを点灯せしめるようにしてもよい。
【符号の説明】
【００２４】
１  表示板本体
２  感知センサー
３  音声メッセージ発生装置
４  制御装置
５  記憶装置
６  選択スイッチ
７  作動装置
【図１】
2011094372.tif 000003
【図２】
2011094372.tif 000004